【事件の表示】
　特許第３４４４３５９号「画像印刷装置および方法、並びにプログラム」の請求項１から請求項１４までに係る特許に対する特許異議の申立てについて、次のとおり決定する。
【結　論】
　訂正を認める。
　特許第３４４４３５９号の請求項１から請求項１４までに係る特許を維持する。
【理　由】
第一．手続の経緯
　本件特許（特許第３４４４３５９号、設定登録時の請求項の数：１４）に係る発明についての出願は、平成１３年６月１１日（先の出願に基づく優先権主張：優先日　平成１３年４月９日）の出願であり、その発明について、平成１５年６月２７日に特許権の設定の登録がされた。
　その後、その請求項１から請求項１４まで（全請求項）に係る特許について平成１５年１２月２６日に、上田貞雄から特許異議の申立てがあった。
　平成１７年５月１７日付けで取消しの理由が通知されたところ、同通知において指定された期間内（平成１７年７月２６日）に、訂正請求書が提出された。
　
第二．訂正の請求
１．結論
　訂正を認める。
２．理由
（１）請求の趣旨
　平成１７年７月２６日付け訂正請求書（本件訂正という）の趣旨は、願書に添付した明細書（特許明細書）を訂正請求書に添付した訂正した明細書（訂正明細書）のとおりに訂正することを求めるものである。
　
（２）訂正の内容
　（ａ）訂正事項１
　請求項１において、
　「前記印刷手段に装備される消耗品が消耗した場合、前記消耗品の補充の案内を前記第２の表示手段に表示させるように制御する制御手段」（訂正前）とあるのを、
　「前記印刷手段に装備される消耗品が消耗した場合、前記消耗品の補充の案内を前記第２の表示手段に表示させるように制御
し、前記消耗品の補充作業が行われている場合においても、前記撮影手段に前記被写体の撮影を続行させるように制御
　（ｂ）訂正事項２
　請求項１３において、
　「前記印刷手段に装備される前記消耗品が消耗した場合、前記消耗品の補充の案内を前記第２の表示手段に表示させるように制御する制御ステップ」（訂正前）とあるのを、
　「前記印刷手段に装備される前記消耗品が消耗した場合、前記消耗品の補充の案内を前記第２の表示手段に表示させるように制御
し、前記消耗品の補充作業が行われている場合においても、前記撮影手段に前記被写体の撮影を続行させるように制御
　（ｃ）訂正事項３
　請求項１４において、
　「前記印刷手段に装備される前記消耗品が消耗した場合、前記消耗品の補充の案内を前記第２の表示手段に表示させるように制御する制御ステップ」（訂正前）とあるのを、
　「前記印刷手段に装備される前記消耗品が消耗した場合、前記消耗品の補充の案内を前記第２の表示手段に表示させるように制御
し、前記消耗品の補充作業が行われている場合においても、前記撮影手段に前記被写体の撮影を続行させるように制御
　（ｄ）訂正事項４
　段落0007、段落0014および段落0016を訂正する（訂正の内容は省略）。
　
（３）訂正の適合性
（３−１）訂正の目的および訂正の範囲
　（ａ）訂正事項１から訂正事項３まで
　訂正事項１から訂正事項３までのいずれにも係る「消耗品の補充作業が行われている場合においても、撮影手段に被写体の撮影を続行させるように制御する」（訂正後）との事項は、「制御手段」（訂正前）にその制御項目の一つを付加してその構成を限定するものである。特許請求の範囲の減縮に該当する。そして、当該事項は、特許明細書の段落0053、段落0066および段落0096に記載されている。
　請求項２から請求項１２まではいずれも請求項１を引用する請求項である。請求項１の訂正によりこれらの請求項も訂正されることとなるところ、これらの請求項に係る訂正も特許請求の範囲の減縮に該当する。
　（ｂ）訂正事項４
　各段落の訂正は、いずれも、特許請求の範囲の記載と発明の詳細な説明の記載との整合をとるためにする訂正である。いずれも、明りょうでない記載の釈明に該当する。
　（ｃ）以上、訂正事項１から訂正事項４までは、訂正の目的に該当し、願書に添付した明細書または図面に記載した事項の範囲内においてする訂正である。
（３−２）特許請求の範囲の拡張・変更
　訂正事項１から訂正事項４までについては、訂正の前後において、特許請求の範囲の記載された用語の意義の解釈、産業上の利用分野、解決しようとする課題及び効果に変更をもたらすものではない。いずれも、実質上特許請求の範囲を拡張し又は変更するものではない。
（３−３）独立特許要件
　請求項１から請求項１４までについてする訂正がいずれも特許請求の範囲の減縮に該当することは前記のとおりであるところ、そのうち、特許異議の申立てがされていない請求項はない。
（３−４）まとめ（適合性）
　以上、本件訂正は、特許法第１２０条の４第２項の規定および同条第３項で準用する第１２６条第２項から第４項までの規定に適合する。
　
（４）むすび
　以上のとおりであるから、本件訂正を認める。
　
第三．本件発明
　訂正を認める。
　訂正後の請求項１から請求項１４までに係る発明（総称して本件各発明ともいう）は、それぞれ、訂正明細書の特許請求の範囲の請求項１から請求項１４までに記載された事項によりに特定される下記のとおりのものである。
　　　　　記（訂正明細書の特許請求の範囲）
　【請求項１】　ユーザに、撮影と撮影した画像の編集を行わせ、編集済みの前記画像が印刷されたシールシートを前記ユーザに提供する画像印刷装置において、
　被写体を撮影する撮影手段と、
　前記撮影手段により撮影された前記被写体の画像を表示する第１の表示手段と、
　前記撮影手段により撮影された前記画像を表示し、編集入力を受け付ける第２の表示手段と、
　前記第２の表示手段により前記編集入力が受け付けられた編集済みの前記画像を印刷する印刷手段と、
　前記撮影手段による前記被写体の撮影および前記第１の表示手段による前記画像の表示、並びに前記第２の表示手段による前記編集入力の受け付けおよび前記印刷手段による前記画像の印刷を独立に平行して行うように制御すると共に、前記印刷手段に装備される消耗品が消耗した場合、前記消耗品の補充の案内を前記第２の表示手段に表示させるように制御
し、前記消耗品の補充作業が行われている場合においても、前記撮影手段に前記被写体の撮影を続行させるように制御
　を備え、
　撮影空間の前方に位置される筐体に、前記撮影手段、および前記第１の表示手段が設けられ、前記撮影空間の外部に設置された
編集空間
　ことを特徴とする画像印刷装置。
　【請求項２】　エラーが発生したときに、少なくとも前記第２の表示手段にエラー発生の表示が行われる
　ことを特徴とする請求項１に記載の画像印刷装置。
　【請求項３】　前記開ロ部が開閉自在な蓋部材によって施蓋されている
　ことを特徴とする請求項１に記載の画像印刷装置。
　【請求項４】　前記印刷手段で印刷された印刷物の取り出し口が、前記蓋部材に形成されている
　ことを特徴とする請求項３に記載の画像印刷装置。
　【請求項５】　前記第２の表示手段が、前記筐体の壁面のうち前記印刷物の取り出しロが形成されている壁面と同じ壁面に配設されている
　ことを特徴とする請求項４に記載の画像印刷装置。
　【請求項６】　前記筐体の前記撮影空間の側面に前記編集空間を有する
　ことを特徴とする請求項１乃至５のいずれかに記載の画像印刷装置。
　【請求項７】　前記筐体の前記撮影空間の背面に前記編集空間を有する
　ことを特徴とする請求項１乃至５のいずれかに記載の画像印刷装置。
　【請求項８】　前記編集空間の側面または背面にカーテンまたはパネルを設ける
　ことを特徴とする請求項１乃至５、ならびに請求項７のいずれかに記載の画像印刷装置。
　【請求項９】　前記撮影空間と前記編集空間とを連絡する連絡通路を有する
　ことを特徴とする請求項７に記載の画像印刷装置。
　【請求項１０】　前記撮影空間と前記編集空間の間に仕切を設ける
　ことを特徴とする請求項１乃至９のいずれかに記載の画像印刷装置。
　【請求項１１】　前記静止画像の明るさの調整を受け付ける調整受付手段をさらに備える
　ことを特徴とする請求項１乃至１０のいずれかに記載の画像印刷装置。
　【請求項１２】　前記撮影空間における撮影が行われた後、前記編集空間における前の利用者の印刷処理が終了していない場合、前記ユーザに自分自身の撮影をもう一度やり直させる実行手段をさらに備える
　ことを特徴とする請求項１乃至１１のいずれかに記載の画像印刷装置。
　【請求項１３】　撮影空間の前方に位置される筐体に、被写体を撮影する撮影手段と、前記撮影手段により撮影された前記被写体の画像を表示する第１の表示手段とが設けられ、前記撮影空間の外部に設置された
編集空間
　前記撮影手段により前記被写体を撮影する撮影ステップと、
　前記撮影ステップの処理により撮影された前記被写体の画像を前記第１の表示手段に表示する第１の表示ステップと、
　前記撮影ステップの処理により撮影された前記画像を前記第２の表示手段に表示し、前記編集入力を受け付ける第２の表示ステップと、
　前記第２の表示ステップの処理により前記編集入力が受け付けられた編集済みの前記画像を前記印刷手段により印刷する印刷ステップと、
　前記撮影ステップの処理による前記被写体の撮影および前記第１の表示ステップの処理による前記画像の表示、並びに前記第２の表示ステップの処理による前記編集入力の受け付けおよび前記印刷ステップの処理による前記画像の印刷を独立に平行して行うように制御すると共に、前記印刷手段に装備される前記消耗品が消耗した場合、前記消耗品の補充の案内を前記第２の表示手段に表示させるように制御
し、前記消耗品の補充作業が行われている場合においても、前記撮影手段に前記被写体の撮影を続行させるように制御
　を含むことを特徴とする画像印刷方法。
　【請求項１４】　撮影空間の前方に位置される筐体に、被写体を撮影する撮影手段と、前記撮影手段により撮影された前記被写体の画像を表示する第１の表示手段とが設けられ、前記撮影空間の外部に設置された
編集空間
　前記撮影手段による前記被写体の撮影を制御する撮影制御ステップと、
　前記撮影制御ステップの処理により撮影が制御された前記被写体の画像の前記第１の表示手段への表示を制御する第１の表示制御ステップと、
　前記撮影制御ステップの処理により撮影が制御された前記画像の前記第２の表示手段への表示を制御し、前記編集入力の受け付けを制御する第２の表示制御ステップと、
　前記第２の表示制御ステップの処理により前記編集入力の受け付けが制御された編集済みの前記画像の前記印刷手段による印刷を制御する印刷制御ステップと、
　前記撮影制御ステップの処理による前記被写体の撮影の制御および前記第１の表示制御ステップの処理による前記画像の表示の制御、並びに前記第２の表示制御ステップの処理による前記編集入力の受け付けの制御および前記印刷制御ステップの処理による前記画像の印刷の制御を独立に平行して行うように制御すると共に、前記印刷手段に装備される前記消耗品が消耗した場合、前記消耗品の補充の案内を前記第２の表示手段に表示させるよう制御
し、前記消耗品の補充作業が行われている場合においても、前記撮影手段に前記被写体の撮影を続行させるように制御
　を実行させるプログラム。
　
第四．特許異議の申立て
１．申立ての理由
　特許異議の申立ての理由および証拠方法は、下記のとおりである。
　　　　　記（申立ての理由）
　〈理由１の１〉
　　対　　象：請求項１から請求項１４まで
　　違反条項：特許法第３９条
　　証拠方法：特願２００１−２４９８４８号（甲第１号証）
　〈理由１の２〉
　　対　　象：請求項１から請求項１４まで
　　違反条項：特許法第３９条
　　証拠方法：特願２００１−２５０２１８号（甲第２号証）
　〈理由２〉
　　対　　象：請求項１から請求項１４まで
　　違反条項：特許法第２９条の２
　　証拠方法：特願２００１−１１１１６号（甲第３号証の１）
　　　　　　　特願２００１−２８４７６１号（甲第３号証の２）
　　　　　記（証拠方法）
　甲第１号証　　：特許第３４１８３８７号公報
　甲第２号証　　：特許第３４０１５２４号公報
　甲第３号証の１：特願２００１−１１１１６号の明細書と図面
　甲第３号証の２：特開２００２−２８７２３８号公報
　甲第４号証　　：特開平１０−２５０２００号公報
　甲第５号証の１：「キャンバスショット」の取扱説明書
　甲第５号証の２：「コインジャーナル」（２０００年１２月号）
　甲第５号証の３：「コインジャーナル」（２００１年１月号）
　甲第６号証の１：「フォトシール「クルクル」」の取扱説明書
　甲第６号証の２：「コインジャーナル」（２０００年１１月号）
　甲第６号証の３：「コインジャーナル」（２０００年１２月号）
　甲第７号証    ：特開平７−２９８１２３号公報
　甲第８号証の１：「ピュアショット」の取扱説明書
　甲第８号証の２：「コインジャーナル」（２０００年１月号）
　甲第８号証の３：「コインジャーナル」（２０００年３月号）
　甲第９号証の１：「プリントクラブキッズ」の取扱説明書
　甲第９号証の２：「コインジャーナル」（２０００年２月号）
　甲第９号証の３：「コインジャーナル」（２０００年３月号）
　甲第９号証の４：「コインジャーナル」（２０００年４月号）
　甲第10号証   ：特開平６−２３３２３２号公報
　甲第11号証   ：特開平６−１２５４８７号公報
　甲第12号証   ：特開平５−１１３５９９号公報
　甲第13号証の１：「フォト＆シールキララ」の取扱説明書
　甲第13号証の２：「コインジャーナル」（２０００年１月号）
　甲第13号証の３：「コインジャーナル」（２０００年２月号）
　甲第14号証   ：特開２０００−２２４４１０号公報
　甲第15号証   ：特開平１１−６４９６７号公報
　甲第16号証   ：特許第３１４７８７５号公報
　甲第17号証   ：特開平１０−１８０９９４号公報
　甲第18号証   ：特開平９−１４９３６８号公報
　甲第19号証   ：特開平６−１８９３０８号公報
　甲第20号証   ：特開平１１−１６７６７４号公報
　甲第21号証   ：特開２０００−５２６２０号公報
　甲第22号証   ：特許第３０２１６３８号公報
　甲第23号証   ：特開２０００−２４１８５４号公報
　
２．申立ての理由の検討
（１）理由１の１（特許法第３９条）
　（ａ）理由の詳細
　本件各発明は、本願出願前の特許出願（特願２００１−２４９８４８号、平成１３年２月２７日出願（遡及出願日）、特許第３４１８３８７号として設定登録、甲第１号証）に係る発明と同一であるから、特許法第３９条第１項の規定により特許を受けることができない。
　（ｂ）甲１先願発明
　特願２００１−２４９８４８号に係る発明（各請求項に係る発明を総称して甲１先願発明ともいう）は、その願書に添付した明細書の特許請求の範囲に記載された下記のとおりのものである。
　　　　　記
　【請求項１】　ユーザに、撮影、および撮影した画像の編集を行わせ、編集済みの前記画像が印刷されたシールシートを筐体の所定の面に形成されたシール取り出し口から排出し、前記ユーザに提供する画像印刷装置において、
　前記画像印刷装置の前記筐体の第１の面、前記第１の面と対向する位置に設置されたパネル、並びに前記第１の面と前記パネルの間に配置されたカーテンにより、外から見えないように形成された１個の撮影空間において、被写体を撮影する、前記筐体の前記第１の面に配置された撮影手段と、
　前記撮影手段により撮影された前記被写体の画像を表示する、前記第１の面の前記撮影手段より下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と、
　前記撮影手段により撮影された前記画像の枚数が予め設定された所定の枚数に達した場合、または、撮影終了の操作がされた場合、前記編集空間への移動を案内する案内画面を第１の表示手段に表示させ、前記撮影手段により撮影された前記画像を前記第２の表示手段に転送し、編集対象画像として前記第２の表示手段に表示させ、前記ユーザからの前記編集入力を受け付けさせるとともに、前記第２の表示手段により、前記ユーザから、前記編集入力を受け付けている間に、他のユーザが前記撮影手段による撮影を開始した場合、前記撮影手段による前記被写体の撮影、並びに前記第２の表示手段による前記被写体の画像の表示および前記編集入力の受け付けを、並行して実行させる制御手段とを備えることを特徴とする画像印刷装置。
　【請求項２】　前記第２の表示手段により受け付けられた前記編集入力に基づいて、前記被写体の画像を編集する編集手段と、
　前記編集手段により編集された前記被写体の画像を所定の前記シールシートに印刷する印刷手段と、
　前記印刷手段により前記被写体の画像が印刷された前記シールシートを排出する排出手段とをさらに備えることを特徴とする請求項１に記載の画像印刷装置。
　【請求項３】　前記排出手段は、前記筐体の、前記第１の面および前記第２の面の何れとも異なる第３の面に配置される
　ことを特徴とする請求項２に記載の画像印刷装置。
　【請求項４】　前記撮影空間において撮影が終了されたとき、前記編集空間において編集が行われているか否かを判定する判定手段と、
　前記判定手段により前記編集空間において編集が行われていると判定されたとき、前記編集空間において行われている編集が終了するまでの期間、前記撮影空間において撮影を終了させたユーザに対して、所定の処理を実行させる実行手段とをさらに備えることを特徴とする請求項１乃至３のいずれかに記載の画像印刷装置。
　【請求項５】　前記所定の処理は、所定のゲームであることを特徴とする請求項４に記載の画像印刷装置。
　【請求項６】　前記撮影空間における撮影を案内する音声を出力する第１の出力手段と、
　前記編集空間における編集を案内する音声を出力する第２の出力手段とをさらに備えることを特徴とする請求項１乃至５のいずれかに記載の画像印刷装置。
　【請求項７】　前記撮影空間に、前記ユーザがポーズを取って撮影するための撮影台をさらに備えることを特徴とする請求項１乃至６のいずれかに記載の画像印刷装置。
　【請求項８】　前記撮影台の近傍に、撮影の操作を行うための撮影台用操作パネルをさらに備えることを特徴とする請求項７に記載の画像印刷装置。
　【請求項９】　撮影する前記静止画像を縦長の画像とするか、横長の画像とするかの選択を受け付ける方向選択受付手段をさらに備えることを特徴とする請求項１乃至８のいずれかに記載の画像印刷装置。
　【請求項１０】　前記静止画像の明るさの調整を受け付ける調整受付手段をさらに備えることを特徴とする請求項１乃至９のいずれかに記載の画像印刷装置。
　【請求項１１】　画像印刷装置の筐体の第１の面、前記第１の面と対向する位置に設置されたパネル、並びに前記第１の面と前記パネルの間に配置されたカーテンにより、外から見えないように形成された１個の撮影空間において、被写体を撮影する、前記筐体の前記第１の面に配置された撮影手段と、
　前記撮影手段により撮影された前記被写体の画像を表示する、前記第１の面の前記撮影手段より下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段とを備え、
　ユーザに、撮影、および撮影した画像の編集を行わせ、編集済みの前記画像が印刷されたシールシートを前記筐体の所定の面に形成されたシール取り出し口から排出し、前記ユーザに提供する画像印刷装置の画像印刷方法において、
　前記撮影手段により前記被写体を撮影する撮影ステップと、
　前記撮影ステップの処理により撮影された前記被写体の画像を前記第１の表示手段に表示する第１の表示ステップと、
　編集対象の画像として前記被写体の画像を前記第２の表示手段に表示し、編集入力を受け付ける第２の表示ステップと、
　前記撮影ステップの処理により撮影された前記画像の枚数が予め設定された所定の枚数に達した場合、または、撮影終了の操作がされた場合、前記編集空間への移動を案内する案内画面を前記第１の表示手段に表示させ、前記撮影ステップの処理により撮影された前記画像を前記第２の表示手段に転送し、編集対象画像として前記第２の表示手段に表示させ、前記ユーザからの前記編集入力を受け付けさせるとともに、前記第２の表示ステップの処理により、前記ユーザから、前記編集入力を受け付けている間に、他のユーザが前記撮影手段による撮影を開始した場合、前記撮影ステップの処理による前記被写体の撮影、並びに前記第２の表示ステップの処理による前記被写体の画像の表示および前記編集入力の受け付けを、並行して実行させる制御ステップとを含むことを特徴とする画像印刷方法。
　【請求項１２】　画像印刷装置の筐体の第１の面、前記第１の面と対向する位置に設置されたパネル、並びに前記第１の面と前記パネルの間に配置されたカーテンにより、外から見えないように形成された１個の撮影空間において、被写体を撮影する、前記筐体の前記第１の面に配置された撮影手段と、
　前記撮影手段により撮影された前記被写体の画像を表示する、前記第１の面の前記撮影手段より下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段とを備え、
　ユーザに、撮影、および撮影した画像の編集を行わせ、編集済みの前記画像が印刷されたシールシートを前記筐体の所定の面に形成されたシール取り出し口から排出し、前記ユーザに提供する画像印刷装置を制御するコンピュータのプログラムであって、
　前記コンピュータに、前記撮影手段による前記被写体の撮影を制御する撮影制御ステップと、
　前記撮影制御ステップの処理により撮影が制御された前記被写体の画像の前記第１の表示手段への表示を制御する第１の表示制御ステップと、
　編集対象の画像として前記被写体の画像を前記第２の表示手段に表示し、編集入力を受け付けるように制御する第２の表示制御ステップと、
　前記撮影制御ステップの処理により撮影が制御された前記画像の枚数が予め設定された所定の枚数に達した場合、または、撮影終了の操作がされた場合、前記編集空間への移動を案内する案内画面を前記第１の表示手段に表示させ、前記撮影制御ステップの処理により撮影が制御された前記画像を前記第２の表示手段に転送し、編集対象画像として前記第２の表示手段に表示させ、前記ユーザからの前記編集入力を受け付けさせるとともに、前記第２の表示制御ステップの処理により、前記ユーザからの前記編集入力の受け付けが制御されている間に、他のユーザが前記撮影手段による撮影を開始した場合、前記撮影制御ステップの処理による前記被写体の撮影の制御、並びに前記第２の表示制御ステップの処理による前記被写体の画像の表示および前記編集入力の受け付けの制御を、並行して実行させる制御ステップとを実行させるプログラム。
　（ｃ）本件各発明と甲１先願発明との対比
　（ｃ１）本件各発明のいずれも下記構成１および構成２を備えている（請求項２から請求項１２までは請求項１を引用する形式の請求項である）。そして、本件各発明は、かかる２構成（構成１および構成２）を備えることにより、「これにより、第２の表示手段の表示を見ることによって、消耗品の補充時期を容易に知ることができる。また、撮影空間において、撮影手段による撮影は続行したまま、撮影空間の外部から消耗品の補充作業を行うことができるので、撮影を極力中断させないようにする上でも好ましいものとなる。」（段落0007、段落0014、段落0016）との効果を奏するものである。
　　　　　構成１（消耗品補充の案内）
　前記撮影手段による前記被写体の撮影および前記第１の表示手段による前記画像の表示、並びに前記第２の表示手段による前記編集入力の受け付けおよび前記印刷手段による前記画像の印刷を独立に平行して行うように制御すると共に、前記印刷手段に装備される消耗品が消耗した場合、前記消耗品の補充の案内を前記第２の表示手段に表示させるように制御し、前記消耗品の補充作業が行われている場合においても、前記撮影手段に前記被写体の撮影を続行させるように制御する
　　　　　構成２（消耗品補充用の開口部）
　前記筐体の壁面のうち前記撮影空間の外部に相当する外部壁面に、前記印刷手段にアクセスして消耗品を補充するための開口部であり、かつ、前記撮影手段による前記被写体の撮影中に前記消耗品が消耗した場合、前記撮影手段による前記被写体の撮影を実行している間に、前記消耗品の補充が可能な前記開ロ部。
　（ｃ２）しかし、甲１先願発明のいずれも上記２構成を備えてはいない。そして、甲１先願発明の効果と対比し、本件各発明の上記効果は上記２構成を備えることによる効果として評価できるものである。
　本件各発明は甲１先願発明と同一であると言うことはできない。
　（ｄ）申立人の主張（周知技術）
　申立人は、上記２構成はいずれも周知技術に該当するもので、本件各発明を甲１先願発明と異別のものとするに足るような相違ではないから、本件各発明は甲１先願発明と同一であると主張するとともに、同周知技術であることを示す証拠として甲第４号証から甲第１３号証までを挙げる。しかし、この主張は、以下のとおり採用することができない。
　（ｄ１）甲第４号証から甲第１３号証までの記載
　（ｄ１１）消耗品補充の案内に関して
　消耗品補充の案内に関しては、甲第４号証、甲第５号証の１および甲第６号証の１に、以下の記載がある。
　甲第４号証には、「図９の実施例は各種エラーの表示を行うもので各種エラー表示としては種々のものがあるが、リボンが無くなったことを知らせる「エントオブリボン」表示・・・プリント紙がないことを知らせる「ノペーパ」表示等がある」（段落0042）と記載されている。
　甲第５号証の１には、２つの液晶タッチパネル（左・右）に表示されるエラーメッセージについて、「お店の人を呼んでください。シール紙とインクシートを交換後、新しい制御タグをセットしサービスＳＷを押して下さい」（71頁）が記載されている。
　甲第６号証の１には、「１３．エラーメッセージについて」の項目のページ（13−１頁）に、「クルクルのエラー画面は、２つのモニタ上に同一内容の画像が表示されます。」（１行）と、プリンタのシール用紙切れの場合に、「シール用紙がなくなりました　係員をおよびください」（左欄）とのエラーメッセージが表示されることが記載されている。
　（ｄ１２）消耗品補充用の開口部に関して
　消耗品補充用の開口部に関しては、甲第７号証から甲第１３号証までに、以下の記載がある。
　甲第７号証には、「ボックス１０の側面に入退場用のドア１０ｃが１つ、背面には管理者が消耗品の交換やメンテナンスを行うためのドア（図示略）がそれぞれ設けられている」（段落0021）と記載されている。
　甲第８号証の１には、プリンタにアクセスしてシール紙を補充するための開口部に相当する構成が記載されている（19頁）。
　甲第９号証の１には、「本体部カバー右下にある、サイドドアカバーを外して下さい。　サイドドアを取り外して下さい。　プリンタベースを引き出して下さい。」（15頁）と記載されている。
　甲第１０号証には、「ビデオ撮影中にも写真フィルム５７が交換でき、その逆の写真撮影中にもビデオテープ５６が交換でき、使用者には非常に便利なものとなる」（段落0027）と記載されている。
　甲第１１号証には、「ＶＴＲ一体型カメラに於いて、２本のバッテリーを並列接続させる為の電極を具備し、バッテリー交換を行う際ＶＴＲ一体型カメラへの電源供給を止める事なく交換可能な事を特徴とするＶＴＲ一体型カメラ用バッテリーの交換装置」（特許請求の範囲）と記載されている。
　甲第１２号証には、「本発明の目的は、銀塩写真および電子スチル写真の内のいずれかが撮影不可能な状態になっても、他方で撮影を可能とする銀塩写真および電子スチル写真両用カメラを提供することにある。」（段落0007）、「ＡＧ撮影が不可能な状態には、次のような場合がある。・・・ＡＧフィルムの交換中・・・」（段落0005）、「ＳＶ撮影が不可能な状態には、次のような場合がある。・・・ＳＶ記録用のフロッピーなどの交換時・・・」（段落0005）と記載されている。
　甲第１３号証の１には、「通常のインクリボンの交換、用紙の補給」の項目のページ（５−１頁）に、「インクリボンの交換は、右サイドドア（上）を開けて行ってください。」と記載されている。
　（ｄ２）まず、本件各発明は、「撮影手段による被写体の撮影および第１の表示手段による画像の表示」と、「第２の表示手段による編集入力の受け付け」を独立に平行して行う、２つの表示手段を有する画像印刷装置に係るものである。上記甲第４号証から甲第１３号証までのうち、かかる画像印刷装置を前提とするものは、甲第５号証（の１から３まで）、甲第６号証（の１から３まで）、甲第８号証（の１から３まで）、甲第９号証（の１から３まで）、および、甲第１３号証（の１から３まで）である。残りの甲第各号証はかかる画像印刷装置を前提とするものではなく、上記周知技術の判断の証拠としては適切ではない。
　（ｄ３）上記構成１（消耗品補充の案内）について
　甲第５号証の１および甲第６号証の１のいずれも、消耗品補充の案内を表示することを開示するに止まるものであり（甲第８号証の１、甲第９号証の１および甲第１３号証の１にはエラー表示について記載がない）、２つの表示手段のうちの一方（編集用）にのみ同表示をすることにつき開示が見られない。上記構成１が周知技術であると認めることはできない。
　（ｄ３１）すなわち、甲第５号証の１は、その「4-1外観」（17頁）を見ると、２つの液晶タッチパネル（左、右）を備え、「4-2背面」（18頁）を見ると、横面に「横扉」を備え、「4-3横面内部」（19頁）を見ると、「横扉」は開いた後の開口の内部にプリンタを備えることが、それぞれ見てとれる。しかし、２つの液晶タッチパネルの一方が「撮影用」であり他方が「編集用」であることについては明らかではない。むしろ、「カメラユニット」（外観）が２つの液晶パネルの中間に位置していることを見ると、２つの液晶タッチパネルは「同一の機能」を独立して平行して行うものであることが窺われる。そうすると、「エラー発生時には、エラー内容の解除方法が画面に表示されます」（71頁）の記載は、２つの液晶タッチパネルの一方（編集用）にのみエラー表示することに言及したものではない。
　「お店の人を呼んでください。シール紙とインクシートを交換後、新しい制御タグをセットしサービスＳＷを押して下さい」（71頁）との記載は、上記構成１が周知であることを示すものではない。
　（ｄ３２）また、甲第６号証の１は、その「フロント（前面）」（5-1頁）を見ると、「左モニタ（ＴＶモニタ）」と「右モニタ（液晶タブレット）」を備えている。しかし、「クルクルのエラー画面は、２つのモニタ上に同一内容の画像が表示されます。」（13-1頁１行）との記載のとおり、２つのモニタの一方（編集用）にのみエラー表示するものではない。
　「シール用紙がなくなりました　係員をおよびください」（13-1頁左欄）とのモニタ表示は、上記構成１が周知であることを示すものではない。
　（ｄ４）上記構成２（消耗品補充用の開口部）について
　甲第５号証の１、甲第８号証の１、甲第９号証の１および甲第１３号証の１のいずれも、筐体に消耗品補充用の開口部を設けることを開示するに止まるものであり（甲第６号証の１には開口部について記載がない）、撮影を実行している間に補充が可能であることにつき開示が見られない。上記構成２が周知技術であると認めることはできない。
　
（２）理由１の２（特許法第３９条）
　（ａ）理由の詳細
　本件各発明は、本願出願前の特許出願（特願２００１−２５０２１８号、平成１３年１月１９日出願、特許第３４０１５２４号として設定登録、甲第２号証）に係る発明と同一であるから、特許法第３９条第１項の規定により特許を受けることができない。
　（ｂ）甲２先願発明
　特願２００１−２５０２１８号に係る発明（各請求項に係る発明を総称して甲２先願発明ともいう）は、その願書に添付した明細書の特許請求の範囲に記載された下記のとおりのものである。
　　　　　記
　【請求項１】　使用者を含む被写体を撮影してその写真を販売する写真自販機であって、
　被写体を撮影する撮影手段を有した第１筐体と、
　上記撮影手段で撮影された画像を表示する表示手段と、使用者が上記撮影画像に合成される第２画像を入力する第２画像入力手段とを有した第２筐体とを備え、
　合成画像を印刷媒体に印刷して写真プリントとして出力する写真出力手段が設けられていることを特徴とする写真自販機。
　【請求項２】　上記第２筐体の第２画像の入力操作を行なう使用者と面する部分以外の部分に写真プリントの送出口が設けられている請求項１記載の写真自販機。
　【請求項３】　上記第１筐体に撮影時の被写体が存在する第１ブースが設けられている請求項１または２記載の写真自販機。
　【請求項４】　第２筐体に撮影が終了した使用者が第２画像の入力操作を行なう第２ブースが設けられている請求項１〜３のいずれか一項に記載の写真自販機。
　【請求項５】　上記第１筐体と第２筐体とが一体的に形成されている請求項１〜４のいずれか一項に記載の写真自販機。
　【請求項６】　上記第１筐体の撮影手段による撮影と、第２筐体の第２画像入力手段による第２画像の入力とを同時に行ない得るように構成されている請求項１〜５のいずれか一項に記載の写真自販機。
　【請求項７】　上記第１筐体の撮影手段による撮影と、第２筐体の第２画像入力手段による第２画像の入力とを同時に行ない得るように構成されているとともに、上記第２筐体の第２画像の入力操作を行なう使用者と面する部分以外の部分に写真プリントの送出口が設けられ、印刷が開始されると印刷終了までの間に使用者が待機する場所を示す待機メッセージ画面が表示手段に表示されるようになっている請求項１記載の写真自販機。
　【請求項８】　一定時間待機メッセージ画面を表示したのち、印刷の終了を待たずにつぎの使用者の第２画像の入力を待機する状態となる請求項７記載の写真自販機。
　（ｃ）本件各発明と甲２先願発明との対比
　本件各発明のいずれもが上記２構成を備えていることは、前記のとおりである。
　しかし、甲２先願発明のいずれも上記２構成を備えてはいない。
　本件各発明は甲２先願発明と同一であると言うことはできない。理由は、甲１先願発明についてした上記判断における理由と同じである。
　
（３）理由２（特許法第２９条の２）
　（ａ）理由の詳細
　本件各発明は、いずれも、特許法第４１条第３項の規定に基づいて適用する特許法第２９条の２の規定により特許を受けることができない。すなわち、本件各発明は、いずれも、特許法第４１条第１項の規定に基づく優先権の主張を伴う特許出願（特願２００１−２８４７６１号、平成１３年９月１９日出願、平成１４年１０月３日出願公開、甲第３号証の２）の願書に最初に添付した明細書又は図面に記載された発明のうち、当該優先権の主張の基礎とされた先の出願（特願２００１−１１１１６号、平成１３年１月１９日出願、甲第３号証の１）の願書に最初に添付した明細書又は図面に記載された発明と同一であり、しかも、当該記載された発明をした者が本件各発明の発明者と同一の者ではなく、また、本願の出願の時に本願の出願人と上記特許出願の出願人とが同一の者でもない。 
　（ｂ）優先権主張出願
　特願２００１−２８４７６１号（優先権主張出願）の願書に最初に添付した明細書（甲第３号証の２）には、下記の記載がある。
　「【特許請求の範囲】
　【請求項１】　使用者を含む被写体を撮影してその写真を販売する写真自販機であって、被写体を撮影する撮影手段と、上記撮影手段で撮影された画像を表示しうる表示手段と、使用者が上記撮影画像に合成される第２画像を入力する第２画像入力手段と、合成画像を印刷媒体に印刷して写真プリントとして出力する写真出力手段とを備え、上記撮影手段による撮影と第２画像入力手段による第２画像の入力とを異なる場所で行なうように構成したことを特徴とする写真自販機。
　【請求項２】　上記撮影手段による撮影と、第２画像入力手段による第２画像の入力とを同時に行ない得るように構成されている請求項１記載の写真自販機。
　【請求項３】　被写体を撮影する撮影手段を有した第１ブースと、上記表示手段および第２画像入力手段とを有した第２ブースとを備えた請求項１または２記載の写真自販機。
　【請求項４】　上記第１ブースと第２ブースとが隣接させて設けられている請求項１〜３のいずれか一項に記載の写真自販機。
　【請求項５】　上記第１ブースと第２ブースとが一体的な筐体に形成されている請求項１〜４のいずれか一項に記載の写真自販機。
　【請求項６】　第１ブースと第２ブースのそれぞれに表示手段が設けられ、上記第１ブースの表示手段と第２ブースの表示手段の少なくともいずれかに待機メッセージが表示されるようになっている請求項３〜５のいずれか一項に記載の写真自販機。
　【請求項７】　さらに第３ブースや第４ブースを備えた請求項３〜６のいずれか一項に記載の写真自販機。
　【請求項８】　上記第１〜第４ブースの少なくともいずれかが複数設けられている請求項３〜７のいずれか一項に記載の写真自販機。
　【請求項９】　被写体を撮影する撮影手段を有した第１筐体と、上記表示手段および第２画像入力手段とを有した第２筐体とを備えた請求項１〜８のいずれか一項に記載の写真自販機。」
　（ｃ）先の出願
　特願２００１−１１１１６号（先の出願）の願書に最初に添付した明細書（甲第３号証の１）には、下記の記載がある。
　「【請求項１】　使用者を含む被写体を撮影してその写真を販売する写真自販機であって、
　被写体を撮影する撮影手段を有した第１筐体と、
　上記撮影手段で撮影された画像を表示する表示手段と、使用者が上記撮影画像に合成される第２画像を入力する第２画像入力手段とを有した第２筐体とを備え、
　合成画像を印刷媒体に印刷して写真プリントとして出力する写真出力手段が備えられていることを特徴とする写真自販機。
　【請求項２】　上記第１筐体と第２筐体とが隣接させて設けられている請求項１記載の写真自販機。
　【請求項３】　上記第２筐体の第２画像の入力操作を行う使用者と面する部分以外の部分に写真プリントの送出口が備けられている請求項２記載の写真自販機。
　【請求項４】　上記第１筐体に撮影時の被写体が存在する第１ブースが設けられている請求項１〜３のいずれか一項に記載の写真自販機。
　【請求項５】　第２筐体に撮影が終了した使用者が第２画像の入力操作を行う第２ブースが設けられている請求項１〜４のいずれか一項に記載の写真自販機。
　【請求項６】　第１ブースと第２ブースが隣接させて設けられている請求項５記載の写真自販機。
　【請求項７】　上記第１筐体と第２筐体とが一体的に形成されている請求項１〜６のいずれか一項に記載の写真自販機。
　【請求項８】　上記第１筐体の撮影手段による撮影と、第２筐体の第２画像入力手段による第２画像の入力とを同時に行ない得るように構成されている請求項１〜７のいずれか一項に記載の写真自販機。」（特許請求の範囲）
　「上記第１および第２筐体１ａ，１ｂの前面には、被写体２の背後を囲うよう箱状にフレーム３が組まれ（図１では一部を鎖線で示している）、第１筐体１ａ前のフレーム３で囲われた部分が被写体２が入る第１ブース１４ａを形成し、第２筐体１ｂ前のフレーム３で囲われた部分が被写体２が入る第２ブース１４ｂを形成している。
　上記第１筐体１ａと第２筐体１ｂとは、隣接されて設けられており、上記第１ブース１４ａと第２ブース１４ｂも隣接されて設けられている。そして、上記各フレーム３のうち上側のフレーム３には、それぞれカーテン５（図１には示していない）が吊設され、第１ブース１４ａおよび第２ブース１４ｂがそれぞれカーテン５で囲われてある程度独立した空間を形成するようになっている。」（段落0018、段落0019）
　（ｃ）本件各発明と甲第３号証の１および２に係る発明との対比
　本件各発明のいずれもが上記２構成を備えていることは、前記のとおりである。
　しかし、優先権主張出願および先の出願の願書に最初に添付した明細書のいずれにも、上記２構成については記載がない。また、甲第４号証から甲第１３号証までを参酌してみても、上記２構成が記載されているに等しいとは言えない。
　本件各発明は、優先権主張出願の願書に最初に添付した明細書又は図面に記載された発明のうち、先の出願の願書に最初に添付した明細書又は図面に記載された発明と同一であると言うことはできない。
　
（４）まとめ（申立て）
　以上、理由１の１、理由１の２および理由２のいずれによっても、訂正後の請求項１から請求項１４までに係る発明は特許を受けることができない、とすることはできない。
　
第五．むすび
　以上、特許異議の申立ての理由及び証拠によっては、訂正後の請求項１から請求項１４までに係る特許を取り消すことはできない。
　また、他に、訂正後の請求項１から請求項１４までに係る特許を取り消すべき理由を発見しない。
　よって、結論のとおり決定をする。
【異議決定日】
平成１７年１２月６日（２００５．１２．６）
【訂正の要旨】
審決（決定）の【理由】欄参照。
（５４）【発明の名称】
画像印刷装置および方法、並びにプログラム
（５７）【特許請求の範囲】
　【請求項１】ユーザに、撮影と撮影した画像の編集を行わせ、編集済みの前記画像が印刷されたシールシートを前記ユーザに提供する画像印刷装置において、
　被写体を撮影する撮影手段と、
　前記撮影手段により撮影された前記被写体の画像を表示する第１の表示手段と、
　前記撮影手段により撮影された前記画像を表示し、編集入力を受け付ける第２の表示手段と、
　前記第２の表示手段により前記編集入力が受け付けられた編集済みの前記画像を印刷する印刷手段と、
　前記撮影手段による前記被写体の撮影および前記第１の表示手段による前記画像の表示、並びに前記第２の表示手段による前記編集入力の受け付けおよび前記印刷手段による前記画像の印刷を独立に平行して行うように制御すると共に、前記印刷手段に装備される消耗品が消耗した場合、前記消耗品の補充の案内を前記第２の表示手段に表示させるように制御
し、前記消耗品の補充作業が行われている場合においても、前記撮影手段に前記被写体の撮影を続行させるように制御
　を備え、
　撮影空間の前方に位置される筐体に、前記撮影手段、および前記第１の表示手段が設けられ、前記撮影空間の外部に設置された
編集空間
　ことを特徴とする画像印刷装置。
　【請求項２】エラーが発生したときに、少なくとも前記第２の表示手段にエラー発生の表示が行われる
　ことを特徴とする請求項１に記載の画像印刷装置。
　【請求項３】前記開口部が開閉自在な蓋部材によって施蓋されている
　ことを特徴とする請求項１に記載の画像印刷装置。
　【請求項４】前記印刷手段で印刷された印刷物の取り出し口が、前記蓋部材に形成されている
　ことを特徴とする請求項３に記載の画像印刷装置。
　【請求項５】前記第２の表示手段が、前記筐体の壁面のうち前記印刷物の取り出し口が形成されている壁面と同じ壁面に配設されている
　ことを特徴とする請求項４に記載の画像印刷装置。
　【請求項６】前記筐体の前記撮影空間の側面に前記編集空間を有する
　ことを特徴とする請求項１乃至５のいずれかに記載の画像印刷装置。
　【請求項７】前記筐体の前記撮影空間の背面に前記編集空間を有する
　ことを特徴とする請求項１乃至５のいずれかに記載の画像印刷装置。
　【請求項８】前記編集空間の側面または背面にカーテンまたはパネルを設ける
　ことを特徴とする請求項１乃至５、ならびに請求項７のいずれかに記載の画像印刷装置。
　【請求項９】前記撮影空間と前記編集空間とを連絡する連絡通路を有する
　ことを特徴とする請求項７に記載の画像印刷装置。
　【請求項１０】前記撮影空間と前記編集空間の間に仕切を設ける
　ことを特徴とする請求項１乃至９のいずれかに記載の画像印刷装置。
　【請求項１１】前記静止画像の明るさの調整を受け付ける調整受付手段をさらに備える
　ことを特徴とする請求項１乃至１０のいずれかに記載の画像印刷装置。
　【請求項１２】前記撮影空間における撮影が行われた後、前記編集空間における前の利用者の印刷処理が終了していない場合、前記ユーザに自分自身の撮影をもう一度やり直させる実行手段をさらに備える
　ことを特徴とする請求項１乃至１１のいずれかに記載の画像印刷装置。
　【請求項１３】撮影空間の前方に位置される筐体に、被写体を撮影する撮影手段と、前記撮影手段により撮影された前記被写体の画像を表示する第１の表示手段とが設けられ、前記撮影空間の外部に設置された
編集空間
　前記撮影手段により前記被写体を撮影する撮影ステップと、
　前記撮影ステップの処理により撮影された前記被写体の画像を前記第１の表示手段に表示する第１の表示ステップと、
　前記撮影ステップの処理により撮影された前記画像を前記第２の表示手段に表示し、前記編集入力を受け付ける第２の表示ステップと、
　前記第２の表示ステップの処理により前記編集入力が受け付けられた編集済みの前記画像を前記印刷手段により印刷する印刷ステップと、
　前記撮影ステップの処理による前記被写体の撮影および前記第１の表示ステップの処理による前記画像の表示、並びに前記第２の表示ステップの処理による前記編集入力の受け付けおよび前記印刷ステップの処理による前記画像の印刷を独立に平行して行うように制御すると共に、前記印刷手段に装備される前記消耗品が消耗した場合、前記消耗品の補充の案内を前記第２の表示手段に表示させるように制御
し、前記消耗品の補充作業が行われている場合においても、前記撮影手段に前記被写体の撮影を続行させるように制御
　を含むことを特徴とする画像印刷方法。
　【請求項１４】撮影空間の前方に位置される筐体に、被写体を撮影する撮影手段と、前記撮影手段により撮影された前記被写体の画像を表示する第１の表示手段とが設けられ、前記撮影空間の外部に設置された
編集空間
　前記撮影手段による前記被写体の撮影を制御する撮影制御ステップと、
　前記撮影制御ステップの処理により撮影が制御された前記被写体の画像の前記第１の表示手段への表示を制御する第１の表示制御ステップと、
　前記撮影制御ステップの処理により撮影が制御された前記画像の前記第２の表示手段への表示を制御し、前記編集入力の受け付けを制御する第２の表示制御ステップと、
　前記第２の表示制御ステップの処理により前記編集入力の受け付けが制御された編集済みの前記画像の前記印刷手段による印刷を制御する印刷制御ステップと、
　前記撮影制御ステップの処理による前記被写体の撮影の制御および前記第１の表示制御ステップの処理による前記画像の表示の制御、並びに前記第２の表示制御ステップの処理による前記編集入力の受け付けの制御および前記印刷制御ステップの処理による前記画像の印刷の制御を独立に平行して行うように制御すると共に、前記印刷手段に装備される前記消耗品が消耗した場合、前記消耗品の補充の案内を前記第２の表示手段に表示させるように制御
し、前記消耗品の補充作業が行われている場合においても、前記撮影手段に前記被写体の撮影を続行させるように制御
　を実行させるプログラム。
【発明の詳細な説明】
　【０００１】
　【発明の属する技術分野】
　本発明は画像印刷装置および方法、並びにプログラムに関するものである。
　【０００２】
　【従来の技術】
　従来、ユーザの画像を撮影し、これを予め用意されたフレーム画像と合成してシール紙などに印刷して提供する画像印刷装置（例えば、プリントクラブ（商標））が知られている。そして、この画像印刷装置には、ユーザは、撮影した画像上に付属のペンで任意の文字や図形などを書き込む（編集する）ことができるようになされているものも存在する。
　【０００３】
　画像印刷のために、筐体内に装備された印刷手段で印刷されたシール等の印刷物は、筐体壁面に形成された取り出し口から排出されることになる。そして、従来は、この取り出し口は、撮影空間に臨む位置に形成されていた。
　【０００４】
　【発明が解決しようとする課題】
　ところで、印刷手段は、その装備品として、シールシートやインク等の各種の消耗品を有する。このため、消耗品を消耗したときは、消耗品を補充する必要がある。しかしながら、この消耗品補充のために行われる印刷手段へのアクセスが、従来は撮影空間側から行うようになっているため、補充作業を行っている間は、ユーザに撮影空間の外部に出てもらって、撮影のための作業を中段しなければならないことになる。
　【０００５】
　また、消耗品の補充時期というものは一定間隔で生じるものではなく、ユーザの使用頻度が高い日と使用頻度の低い日とに応じて補充時期が相違するものであり、したがってこの補充時期を容易に知ることができれば便利である。
　【０００６】
　本発明は以上のような事情を勘案してなされたもので、その目的は、印刷手段の消耗品を補充する時期を容易に知ることができ、しかも撮影空間をなんら利用することなく消耗品の補充を行えるようにした画像印刷装置を提供することにある。
　【０００７】
　【課題を解決するための手段】
　前記目的を達成するため、本発明にあっては次のような解決手法を採択してある。すなわち、特許請求の範囲における請求項１に記載のように、被写体を撮影する撮影手段（例えば図１の符号３１）と、撮影手段により撮影された被写体の画像を表示する第１の表示手段（例えば図８の符号１４）と、撮影手段により撮影された画像を表示し、編集入力を受け付ける第２の表示手段（例えば図１の符号１８）と、第２の表示手段により編集入力が受け付けられた編集済みの画像を印刷する印刷手段（例えば図１の符号８９）と、撮影手段による被写体の撮影および第１の表示手段による画像の表示、並びに第２の表示手段による編集入力の受け付けおよび印刷手段による画像の印刷を独立に平行して行うように制御すると共に、印刷手段に装備される消耗品が消耗した場合、消耗品の補充の案内を第２の表示手段に表示させるように制御
し、消耗品の補充作業が行われている場合においても、撮影手段に被写体の撮影を続行させるように制御
　【０００８】
　故障や操作ミス等によりエラーが発生したときに、少なくとも前記第２の表示手段にエラー発生の表示を行うようにすることができる。これにより、第２の表示手段を、消耗品の補充時期の表示のみならず、エラー表示にも有効に利用できることになる。
　【０００９】
　前記開口部は、常時は開閉自在な蓋部材で施蓋しておくことができる。これにより、筐体内への異物混入やいたずらを防止する上で好ましいものとなる。
　【００１０】
　前記印刷手段で印刷された印刷物の取り出し口を、前記蓋部材に形成することができる。これにより、取り出し口およびその付近の保守、点検等を容易に行うようにする上で好ましいものとなる。
　【００１１】
　取り出し口を蓋部材に設けた場合、前記第２の表示手段を、前記筐体の壁面のうち前記印刷物の取り出し口が形成されている壁面と同じ壁面に配設することができる。これにより、第２の表示手段によって消耗品の補充時期であることを確認して、その場でもって蓋部材を開いてただちに消耗品の補充作業に移行することができるようにする上で好ましいものとなる。
　【００１２】
　前記外部表示手段を、前記撮影手段で撮影された画像の編集用として利用することができる。これにより、外部表示手段のより一層の有効利用が図れるばかりでなく、内部表示手段を利用した撮影と外部表示手段を利用した編集とを同時に行うことができ、ユーザの回転率を向上させる上で好ましいものとなる。
　【００１３】
　なお、第２の表示手段は、筐体に設けることなく、例えば管理者が居る管理人室に装備する等、筐体から離れた位置に配設することもできる。
　前記筐体の前記撮影空間の側面に前記編集空間を有するようにすることができる。
　この場合、画像印刷装置は、例えば、図２のように配置される。
　前記筐体の前記撮影空間の背面に前記編集空間を有するようにすることができる。
　この場合、画像印刷装置は、例えば、図１４のように配置される。
　前記編集空間の側面または背面にカーテンまたはパネルを設けるようにすることができる。
　カーテンは、例えば、図１４のカーテン９６により構成され、パネルは、例えば、図１４の背景パネル６により構成される。
　前記撮影空間と前記編集空間とを連絡する連絡通路を有するようにすることができる。
　連絡通路は、例えば、図１４の連絡通路５０により構成される。
　前記撮影空間と前記編集空間の間に仕切を設けるようにすることができる。
　仕切は、例えば、図２のカーテン４４、または図１４のカーテン９７により構成される。
　前記静止画像の明るさの調整を受け付ける調整受付手段をさらに設けるようにすることができる。
　調整受付手段は、例えば、図１６のステップＳ５７の処理を実行するＣＰＵ８１により構成される。
　前記撮影空間における撮影が行われた後、前記編集空間における前の利用者の印刷処理が終了していない場合、前記ユーザに自分自身の撮影をもう一度やり直させる実行手段をさらに設けるようにすることができる。
　実行手段は、例えば、図１５のステップＳ１７の処理を実行するＣＰＵ８１により構成される。
　【００１４】
　また、請求項１３に記載のように、撮影空間（例えば図１の符号３）の前方に位置される筐体（例えば図１の符号１１）に、被写体（例えば図１の符号Ｈ）を撮影する撮影手段（例えば図１の符号３１）と、撮影手段により撮影された被写体の画像を表示する第１の表示手段（例えば図８の符号１４）とが設けられ、撮影空間の外部に設置された編集空間に、撮影手段により撮影された画像を表示し、編集入力を受け付ける第２の表示手段（例えば図１の符号１８）が設けられ、筐体の内部に、第２の表示手段により編集入力が受け付けられた編集済みの画像を印刷する印刷手段（例えば図１の符号８９）が設けられ、筐体の壁面のうち撮影空間の外部に相当する外部壁面（例えば図１の符号１１ｃ）に、印刷手段にアクセスして消耗品を補充するための開口部（例えば図１の符号４７）であり、かつ、撮影手段による被写体の撮影中に消耗品が消耗した場合、撮影手段による被写体の撮影を実行している間に、消耗品の補充が可能な開口部が形成された画像印刷装置であり、かつ、ユーザに、撮影と撮影した画像の編集を行わせ、編集済みの前記画像が印刷されたシールシートをユーザに提供する画像印刷装置の画像印刷方法において、撮影手段により被写体を撮影する撮影ステップ（例えば、図１５のステップＳ１２）と、撮影ステップの処理により撮影された被写体の画像を第１の表示手段に表示する第１の表示ステップと、撮影ステップの処理により撮影された画像を第２の表示手段に表示し、編集入力を受け付ける第２の表示ステップ（例えば、図１５のステップＳ２１）と、第２の表示ステップの処理により編集入力が受け付けられた編集済みの画像を印刷手段により印刷する印刷ステップ（例えば、図１５のステップＳ２９）と、撮影ステップの処理による被写体の撮影および第１の表示ステップの処理による画像の表示、並びに第２の表示ステップの処理による編集入力の受け付けおよび印刷ステップの処理による画像の印刷を独立に平行して行うように制御すると共に、印刷手段に装備される消耗品が消耗した場合、消耗品の補充の案内を第２の表示手段に表示させるように制御
し、消耗品の補充作業が行われている場合においても、撮影手段に被写体の撮影を続行させるように制御
　【００１５】
　前記外部表示手段には、前記消耗品に関する表示がなされているとき、前記内部表示手段に、前記撮影手段による撮影の取り直しに関する画像、またはゲームに関する画像を表示させることができる。これにより、消耗品の交換作業中でも、ユーザに退屈さを感じさせないようにすることができる。
　【００１６】
　さらに、請求項１４に記載のように、撮影空間（例えば図１の符号３）の前方に位置される筐体（例えば図１の符号１１）に、被写体（例えば図１の符号Ｈ）を撮影する撮影手段（例えば図１の符号３１）と、撮影手段により撮影された被写体の画像を表示する第１の表示手段（例えば図８の符号１４）とが設けられ、撮影空間の外部に設置された編集空間に、撮影手段により撮影された画像を表示し、編集入力を受け付ける第２の表示手段（例えば図１の符号１８）が設けられ、筐体の内部に、第２の表示手段により編集入力が受け付けられた編集済みの画像を印刷する印刷手段（例えば図１の符号８９）が設けられ、筐体の壁面のうち撮影空間の外部に相当する外部壁面（例えば図１の符号１１ｃ）に、印刷手段にアクセスして消耗品を補充するための開口部（例えば図１の符号４７）であり、かつ、撮影手段による被写体の撮影中に消耗品が消耗した場合、撮影手段による被写体の撮影を実行している間に、消耗品の補充が可能な開口部が形成された画像印刷装置であり、かつ、ユーザに、撮影と撮影した画像の編集を行わせ、編集済みの前記画像が印刷されたシールシートをユーザに提供する画像印刷装置を制御するコンピュータに、撮影手段による被写体の撮影を制御する撮影制御ステップ（例えば、図１５のステップＳ１２）と、撮影制御ステップの処理により撮影が制御された被写体の画像の第１の表示手段への表示を制御する第１の表示制御ステップと、撮影制御ステップの処理により撮影が制御された画像の第２の表示手段への表示を制御し、編集入力の受け付けを制御する第２の表示制御ステップ（例えば、図１５のステップＳ２１）と、第２の表示制御ステップの処理により編集入力の受け付けが制御された編集済みの画像の印刷手段による印刷を制御する印刷制御ステップ（例えば、図１５のステップＳ２９）と、撮影制御ステップの処理による被写体の撮影の制御および第１の表示制御ステップの処理による画像の表示の制御、並びに第２の表示制御ステップの処理による編集入力の受け付けの制御および印刷制御ステップの処理による画像の印刷の制御を独立に平行して行うように制御すると共に、印刷手段に装備される消耗品が消耗した場合、消耗品の補充の案内を第２の表示手段に表示させるように制御
し、消耗品の補充作業が行われている場合においても、撮影手段に被写体の撮影を続行させるように制御
　【００１７】
　【発明の実施の形態】
　図１、図２において、画像印刷装置１の筐体（ケース）１１に対して所定間隔をあけて背景パネル６が配設され、筐体１１と背景パネル６との間の空間が撮影空間３とされている。背景パネル６の直前方には、階段状の撮影台２が配設され、この撮影台２に乗った状態の被写体（ポーズをとったユーザ）が、符号Ｈで示される。なお、以下の説明では、撮影空間３の方向付けを、筐体１１と背景パネル６とを結ぶ方向を前後方向と称し、撮影空間３のうち筐体１１側を前方とし、背景パネル６側を後方とする。また、筐体１１の各壁面については、撮影空間３に臨む面を正面部１１ａと称し、撮影空間３とは反対側の面を背面部１１ｂと称し、左の側面部が符号１１ｃで、右の側面部が符号１１ｄで示される。
　【００１８】
　前記背景パネル６は、その左右方向の長さが撮影台２の左右方向長さとほぼ同一とされているが、撮影台２よりも十分高く上方へ伸びている。背景パネル６の上部のうち、撮影空間３に臨む側の面となる前面には、被写体Ｈの背景として好適な背景が施されている。
　【００１９】
　画像印刷装置１の有する各種装置の概略について、図８〜図１１をも参照しつつ説明する。まず、筐体１１の正面部１１ａには、その右方位置において硬貨投入口１２が設けられており、ユーザは、画像印刷装置１を利用するとき、所定の金額を投入し、投入された硬貨は最終的に筐体１１内の収納箱（金庫）４に収納される。正面部１１ａには、硬貨投入口１１２の近傍において、撮影案内用スピーカ１３が設けられている。撮影案内用スピーカ１３は、各種の音声ガイダンスなどを出力し、ユーザに対して、撮影方法（シール作成の進行方法）を案内する。
　【００２０】
　正面部１１ａの中央上部には、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）などよりなる撮影用モニタ１４が設置されている。撮影用モニタ１４は、撮影方法を案内する画面や、撮影装置３１により撮影された被写体の画像を表示する。
　【００２１】
　正面部１１ａには、モニタ１４の近くにおいて、操作パネル１５が設置されている。操作パネル１５は、ユーザにより操作される各種の操作ボタンよりなり、例えば、ＣＣＤ（Ｃｈａｒｇｅ　Ｃｏｕｐｌｅｄ　Ｄｅｖｉｃｅ）カメラ３２のズームを調整するときなどに操作される。操作パネル１５には、例えば、撮影用モニタ１４に表示される各種の選択に対して、決定するとき操作される「○ボタン」、決定したものをキャンセルするとき操作される「×ボタン」、撮影用モニタ１４に表示されるカーソルなどを移動するとき操作される「＋ボタン」、「−ボタン」などが配置され、そのほか、撮影の開始を指示するとき操作される「撮影スタートボタン」などが適宜配置される。
　【００２２】
　また、正面部１１ａには、モニタ１４を挟んで左右一対の照明装置１６Ｌ、１６Ｒが配置されて、操作パネル１５等を操作するのに必要な撮影空間３の明るさを確保している。この照明装置１６Ｌ、１６Ｒには、被写体Ｈを撮影するタイミングで作動されるストロボを別途内蔵させておくこともできる（照射方向は撮影台２に向かう方向に設定）。
　【００２３】
　筐体１１の上方には、左右方向中間部において、撮影装置３１が設置されている。この撮影装置３１の所定の角度だけ斜め下方向を向いた面には、ＣＣＤカメラ３２、および小型のＬＣＤなどよりなる取り込み画像表示部３３が配置されている。ＣＣＤカメラ３２は、被写体の画像を取り込み、その画像（動画像）は、取り込み画像表示部３３に表示される。取り込み画像表示部３３がＣＣＤカメラ３２の近傍に設けられているため、ユーザは、取り込み画像表示部３３に表示されている自分の画像を確認しながら、視線をほぼＣＣＤカメラ３２に向けた状態で撮影することができる。
　【００２４】
　撮影台２の近傍には、筐体１１に設置されている操作パネル１５と同様の操作ボタンが配置される撮影台用操作パネル７２が設置されている。すなわち、ユーザは、筐体１１（操作パネル１５）に近づかなくても、撮影台用操作パネル７２の操作ボタンを操作して撮影することができる。撮影台用操作パネル７２から入力された各種の情報は、床下にあるケーブル（図示略）を介して画像印刷装置１に供給される。
　【００２５】
　筐体１１の左側面部１１ｃには、ＣＲＴやＬＣＤなどよりなる編集入力用モニタ１８、編集案内用スピーカ１９、タッチペン２０、およびシール取り出し口２１が設けられている。
　【００２６】
　ＣＣＤカメラ３２で撮影され、編集する画像として選択され、保存された画像は、ユーザが撮影処理を終了した後、編集入力用モニタ１８に表示される。編集入力用モニタ１８には、タッチパネル９３（図５参照）が積層されており、ユーザは、編集入力用モニタ１８に表示されている画像に対して、タッチペン２０を操作することにより、編集対象の画像（以下、適宜、編集対象画像と称する）に任意の文字や図形などを書き込む（入力する）ことができる。編集入力用モニタ１８が位置される筐体１１の左側面１１ｃは、撮影空間３の外部に相当し、この左側面部１１ｃつまり編集入力用モニタ１８が臨む外部空間が編集空間５とされる。
　【００２７】
　すなわち、ユーザは、筐体１１の正面部１１ａに向かうようにして撮影空間３に位置して、撮影装置３１によって自分自身を撮影したのち、筐体１１の左側面部１１ｃが臨む場所となる編集空間５へ移動して、撮影した自分自身の画像を編集する。
　【００２８】
　編集入力用モニタ１８は、編集対象画像とともに、様々な編集ツールの選択ボタンなどを表示する。そして、編集入力用モニタ１８は、タッチペン２０で書き込みがされたとき、その入力に応じて生成した編集済みの画像を表示する。編集案内用スピーカ１９は、ユーザに対して、編集の入力方法を説明する音声ガイダンスを出力する。
　【００２９】
　タッチペン２０は、編集入力用モニタ１８に積層されるタッチパネルの位置検出方式（例えば、抵抗膜式、超音波式など）に応じて構成され、編集に使用されないときは、左側面部１１ｃに設けられた突起部等の保持部（図示略）に引っかけられる。シール取り出し口２１は、所定の数、および大きさの複数のシールからなる、編集済みの画像が印刷されたシールシートを排出する。
　【００３０】
　再び図１、図２において、撮影空間３の上方は、全体的に天井部材４１によって覆われている。撮影空間３の右側面は、全体的に右側方部材４２によって覆われている。撮影空間３の左側面のうち、背景パネル６から撮影台２の前端位置まで、つまり撮影空間３のほぼ後半分が、全体的に左側方部材４３によって覆われている。上記各部材４１、４２、４３は、例えば合成樹脂等からなる可撓性シートによって構成されて、撮影空間３を外部と仕切っている。
　【００３１】
　撮影空間３の左側方のうち、前半分は、天井部材４１の左側端から所定長さだけ下方へ伸びる開閉式のカーテン４４によって覆われている。すなわち、ユーザは、カーテン４４をあけて撮影空間３内に入った後、カーテン４４を閉め、撮影空間３内において撮影を終了した後に、再びカーテン４４をあけて撮影空間３から出て、編集空間５となる編集用モニタ１８の前に移動することになる。
　【００３２】
　可撓性シートからなる天井部材４１を保持するために、撮影空間３の上方には、図３にも示すように、保持フレーム５１が配設される。保持フレーム５１は、前後方向に細長く伸びる左右一対の側方フレーム部５２Ｌ、５２Ｒを有する。左右一対の側方フレーム部５２Ｌ、５２Ｒは、その前後各端において、端部連結フレーム部５３、５４によって互いに連結されると共に、撮影空間３の前後方向ほぼ中間部において中央連結フレーム部５５によっても互いに連結されている。各フレーム部５２Ｌ、５２Ｒ、５３、５４、５５はそれぞれ、金属あるいは合成樹脂のパイプ材やアングル材を利用して、軽量でかつ十分な曲げ強度を有する部材によって構成される。
　【００３３】
　上記保持フレーム５１は、その前端部が、左右一対の上下方向に伸びる支持フレーム５６Ｌ、５６Ｒを介して、筐体１１のうち背面部１１ｂ付近に連結、支持されている。また、保持フレーム５１の後端は、背景パネル６の上端に連結されている。さらに、保持フレーム５１は、中央連結フレーム部５５付近において、上下方向に伸びる左右一対の中央支持フレーム５７Ｌ、５７Ｒを介して支持されている。中央支持フレーム５７Ｌ、５７Ｒは、撮影空間３の前後方向のうち、撮影台２の前端付近に位置されている。そして、中央支持フレーム５７Ｌ、５７Ｒは、その上下方向ほぼ中間部において、前後方向に伸びる複数本（実施形態では２本）の補強フレーム５８Ｌ、５８Ｒを介して背景パネル６と連結されている。
　【００３４】
　可撓性シートからなる天井部材４１は、保持フレーム５１に取付、固定される。すなわち、天井部材４１の内面４１ａは撮影空間３に大きな面積でもって臨むことになるが、中央連結フレーム部５５によって、その前後方向中間部分が下方へ垂れてしまうことが確実に防止されて、極力面一な平坦面を構成するようになっている。
　【００３５】
　天井部材４１は、後述するように反射板を構成するもので、その内面４１ａが反射面とされる。このため、反射面としての内面４１ａは、ほぼ白色とされ、かつ細かい凹凸が施されたつや消し処理がなされている。ほぼ白色とすることにより、反射効率が向上され、またつや消し処理することによって、別途拡散板を用いることなく、反射光を広くかつ均一に拡散させることができる。
　【００３６】
　筐体１１の上方には、撮影装置３１を挟むようにして、上下方向に伸びる左右一対の上側反射板６０が設けられている。各上側反射板６０は、合成樹脂等の薄板によって形成されて、筐体１１の背面部１１ｂから上方へ伸びており、上方へ向かうにつれて徐々に撮影空間３に向かうように湾曲形成されている。すなわち、上側反射板６０は、撮影空間３にオーバハングするように伸びて、その上部先端が天井部材４１の直近に位置されている。この上側反射板６０のうち撮影空間３に臨む反射面６０ａは、ほぼ白色でかつ細かい凹凸が施されてつや消し処理されている。
　【００３７】
　図４にも示すように、筐体１１の上部には、上側反射板６０の下方において、左右一対の上側ストロボ６１が内蔵されている。この上側ストロボ６１は、撮影装置３１と連動して作動されるもので、上側反射板６０の下端部の直前方に位置している。筐体１１には、上側反射板６０と上側ストロボ６１との間の位置において、上側ストロボ６１で発光された照射光が通過される開口部６２が形成されている。
　【００３８】
　上側ストロボ６１は、斜め前方かつ上方へ向けて、つまり上側反射板６０に向かって発光するようになっている。上側ストロボ６１で発光された照射光は、上側反射板６０で反射されて反射光α（図１、図２参照）となり、この反射光αは、撮影台２の上でポーズをとっている被写体Ｈの上部、特に顔の上部付近に向かうようにされる（背景パネル６の上部付近に向かうようにされる）。上側ストロボ６１による上側反射板６０での照射領域（照射パターン）が図５に示されるが、その上端位置が符号α１で示され、下端位置が符号α２で示される。
　【００３９】
　上側反射板６０の反射面６０ａはほぼ白色であるので反射効率が高いものとなる。また、反射面６０ａがつや消し処理されていることにより、別途拡散板を用いなくても、反射光αは十分拡散されることになる。図４において、撮影装置３１の光軸３１ａを水平方向に伸ばしたとき、上側反射板６０の反射面６０ａ上において、上側ストロボ６１の光軸６１ａが撮影装置３１の光軸３１ａとほぼ同じ高さか若干高い位置となるように設定されている。
　【００４０】
　筐体１１における正面部１１ａの下部には、左右方向に細長く伸びる開口部６３が形成されている。この開口部６３に沿うようにして、筐体１１内には、下側反射板６４が配設されている。下側反射板６４の反射面６４ａは、ほぼ４５度の傾きをもって上方かつ後方（撮影空間３側）に向かうように設定されている。この反射面６４ａも、ほぼ白色でかつ細かい凹凸が施されたつや消し処理されている。
　【００４１】
　図１、図８において、筐体１１内には、下側反射板６４の上方位置において、下方に向けて発光する下側ストロボ６５が配設されている。下側ストロボ６５は、撮影装置３１と連動して作動するもので、ここから発光された照射光は、下側反射板６４の反射面６４ａで反射されて反射光β（図１、図２参照）となり、この反射光βは、開口部６３を通って、若干上方に向かうようにして撮影空間３に向けられる。これにより、反射光βによって、撮影空間３の下部が照射されることになる。
　【００４２】
　下側ストロボ６５による左右方向の照射幅は、図８一点鎖線で示すように左右方向の長く伸びる下側反射板６４のほぼ全長に渡るようにされている。反射面６４ａでの反射効率が高いことと、つや消し処理されていることにより反射光βの拡散作用によって、撮影空間３の下部が左右方向全長に渡ってほぼ均一に照射される。
　【００４３】
　図１、図２に示すように、撮影空間３の高い位置でかつ前後方向ほぼ中間位置において、左右一対の側方ストロボ６６が配設されている。この側方ストロボ６６は、図６に示すように、反射面としての前述した天井部材４１の内面４１ａに向けて発光されるもので、その照射方向は、特に図６に示すように、上方かつ左右方向内方側に向かうようにされている。
　【００４４】
　側方ストロボ６６で発光された照射光は、天井部材４１の内面４１で反射されて反射光Ｙ（図１、図２参照）となり、この反射光Ｙによって、撮影空間３がほぼ全体的に、上方から照射されることになる。特に、内面４１ａは、ほぼ白色とされているので反射効率が高く、かつつや消し処理されているので反射光Ｙが十分拡散されたものとなり、撮影空間３が広い範囲に渡って上方からほぼ均一に照射される。
　【００４５】
　側方ストロボ６６は、直接側方部材４２，４３に取付けるようにすることもできるが、図７に示すように、保持フレーム５１と中央支持フレーム５７とに跨って平板状の取付ブラケット６７を固定するのが、しっかりとした取付を確保する上で好ましい。具体的には、取付ブラケット６７に対して合成樹脂等によって形成された保持ケース６８が固定され、この保持ケース６８内に側方ストロボ６６が収納される。勿論、保持ケース６８の上面部には、側方ストロボ６６からの照射光が通過される開口部６８ａが形成される。
　【００４６】
　次に、図２を参照しつつ、本発明装置利用するユーザの移動について説明する。まず、撮影をするとき、ユーザは、筐体１１と背景パネル６の間の撮影空間３に入場し、撮影台２を利用して様々なポーズを取って撮影する。
　【００４７】
　撮影空間３での撮影が終了したとき、撮影用モニタ１４には、編集空間５への案内画面が表示されるため、ユーザはこの案内に従って、撮影空間３から出場して編集空間５へ入場する。そして、編集入力用モニタ１８を利用して編集対象画像に対して編集した後、ユーザは、シール取り出し口２１から排出されるシールシートを受け取る。
　【００４８】
　このように、撮影空間３と編集空間５とを異なる位置に設けることにより、次に順番待ちをしているユーザがいる場合、そのユーザは、それまで撮影空間で撮影をしていたユーザと入れ替わりに撮影空間に入場し、撮影を開始することができる。そのため、撮影の待ち時間を短縮することができ、それとともに、編集する時間を長く設定することができる。その結果、画像印刷装置１を管理する管理者の側からすれば、ユーザの回転率が向上することとなり、収益率が向上する。
　【００４９】
　図１、図８、図１２に示すように、筐体１１内には、編集入力用モニタ１８を利用して編集された後の画像を印刷するプリンタ８９が装備されている。プリンタ８９は、筐体１１の左側面部１１ｃ寄りに配設されて、この左側面部１１ｃに、プリンタ８９によって印刷されたシールシートが供給されるシール取り出し口２１が形成されている。すなわち、プリンタ８９は、所定の数、および大きさに分割されたシールのシールシートを複数種類ストックし、ユーザから選択されたシールシートに、編集済みの画像を印刷する。なお、プリンタ８９とシール取り出し口２１とは、プリンタ８９に着脱自在な排出ダクト４６（図８参照）を介して連結されている。
　【００５０】
　筐体１１における左側面部１１ｃの下部には、大きな開口部４７が形成され、この開口部４７が、蓋部材４８によって開閉されるようになっている（図１０をも参照）。蓋部材４８は、鍵付きで、扉形式で開閉されるようになっており、閉じられたときに左側面部１１ｃの一部を構成する。なお、蓋部材４８は、ねじ等により筐体１１に固定されて、ねじの取付、取外しに応じて開口部４７を開閉するように構成する等、開閉のための構成は適宜の手法が採択し得る。
　【００５１】
　上記蓋部材４８に、前述のシール取り出し口２１が形成されている。また、前述の排出ダクト４６は常時は蓋部材４８に固定されていて（図１２では排出ダクト４６は図示略）、蓋部材４８を閉じたときに、プリンタ８９のシール排出口に接続される。蓋部材４８を開くことにより、プリンタ８９が大きな開口部４７を通して外部から接近可能とされる。これにより、蓋部材４８を開いて、プリンタ８９へのシールシートの補給が行われる。
　【００５２】
　プリンタ８９は、ストックされているシールシートの量を検出するセンサ（図示略）を有している。ストックされているシールシートが無くなったとき、あるいは残りが所定枚数以下となったときに、プーリ端８９から編集入力用モニタ１８に所定の信号が出力されて、編集入力用モニタ１８に、シールシートを補給すべき旨の表示が行われる。
　【００５３】
　画像印刷装置１の管理者は、編集入力用モニタ１８にシールシートを補給すべき旨の表示が行われていることを確認すると、蓋部材４８を開いて、プリンタ８９にシールシートを補給する。この補給作業を行っているときでも、ユーザは撮影空間３での撮影を続行することが可能である。
　【００５４】
　図１３は、図１の画像印刷装置１の内部の構成例を示すブロック図である。この図１３において、ＣＰＵ（Ｃｅｎｔｒａｌ　Ｐｒｏｃｅｓｓｉｎｇ　Ｕｎｉｔ）８１は、ＲＯＭ（Ｒｅａｄ　Ｏｎｌｙ　Ｍｅｍｏｒｙ）８２に記憶されているプログラム、または、プログラム記憶部８４からＲＡＭ（Ｒａｎｄｏｍ　Ａｃｃｅｓｓ　Ｍｅｍｏｒｙ）８３にロードしたプログラムに従って画像印刷装置１の全体の動作をバス９０を介して制御する。ＲＡＭ８３にはまた、ＣＰＵ８１が各種の処理を実行する上において必要なデータなどが適宜記憶される。
　【００５５】
　プログラム記憶部８４は、ハードディスクやそのドライブからなり、ＣＰＵ８１が実行する様々なプログラムなどを記憶する。ドライブ８５は、フロッピディスクやハードディスクなどの磁気ディスクや、ＣＤ−ＲＯＭ，ＤＶＤなどの光ディスクなどの記録媒体に記憶されているプログラムを読み出し、バス９０を介してプログラム記憶部８４などに供給する。例えば、ドライブ８５からは、被写体の画像と合成する新たなフレーム画像などが供給される。
　【００５６】
　撮影装置３１の内部には、上述したＣＣＤカメラ３２および取り込み画像表示部３３の他に、ＣＣＤカメラ制御部８６が配置されている。ＣＣＤカメラ制御部８６は、ユーザが操作パネル１５、または撮影台用操作パネル７２を操作することにより入力したＣＣＤカメラ３２の調節要求に応じて、ＣＣＤカメラ３２のズーム率、取り込む光量などを制御する。
　【００５７】
　キープ画像記憶部８７は、ユーザが撮影し、編集する画像として選択した画像を所定の枚数だけ記憶する。例えば、キープ画像記憶部８７は、キープ画像（編集対象画像）を６枚まで記憶する。
　【００５８】
　硬貨処理部８８は、硬貨投入口２１から投入された硬貨をカウントし、画像の作成代金として予め設定されている所定の金額が投入されたと判定したとき、それをＣＰＵ８１に通知する。
　【００５９】
　音声出力制御部９１は、ＣＰＵ８１からの制御に基づいて撮影案内用スピーカ１３を制御し、撮影方法などを説明する各種の音声ガイダンスや、例えば、静止画像を取り込むときのシャッタ音などの効果音を出力する。一方、音声出力制御部９４は、編集案内用スピーカ１９を制御し、編集方法などを説明する各種の音声ガイダンスや、画像に書き込むときに発生される効果音などを出力する。このように、撮影案内用スピーカ１３と編集案内用スピーカ１９には、必要に応じてそれぞれ異なる音が出力される。
　【００６０】
　表示プロセッサ９２は、撮影処理が終了し、ユーザが編集を開始するとき、キープ画像記憶部８７からバス９０を介して転送されてくるキープ画像を内蔵するメモリ９２Ａに記憶する。そして、表示プロセッサ９２は、タッチパネル９３において編集入力がされたとき、編集対象画像上における、その入力位置を検出し、編集対象画像に反映させて編集入力用モニタ１８に表示させる。なお、図５においては、編集入力用モニタ１８とタッチパネル９３は別の位置に示されているが、実際には積層して配置されている。
　【００６１】
　各ストロボ６１，６５，６６は、撮影装置３１と連動して作動、つまり撮影装置３１のシャッタが切られるタイミングで発光される。
　【００６２】
　図１４は、本発明の他の実施形態を示すものである。本実施形態では、筐体１１の背面部１１ｂに編集入力用モニタ１８が配設されている。すなわち、筐体１１の背面側が、編集空間５とされている。また、筐体１１の背面部１１ｂに、プリンタ８９の保守、点検用の蓋部材４８（開口部４７）が形成されている。
　【００６３】
　筐体１１の一方の側面部側（実施形態では筐体１１の右側面部１１ｄ側）が、撮影空間３と編集空間５とを連絡する連絡通路５０として設定されている。図１４中破線で示す部材は、ユーザによって開閉されるカーテン９５、９６、９７である。カーテン９５は撮影空間３への入り口用であり、カーテン９６は編集空間５からの出口用であり、カーテン９７は、撮影空間３と編集空間５との仕切用である。
　【００６４】
　なお、故障や素操作ミス等によってエラーが生じた場合には、各モニタ１４、１８にエラー発生の表示を行うようにすることが好ましいが、この場合は特に管理者によるエラー解消の操作が必要なときが多いので、少なくとも外部モニタ１８にエラー発生の表示を行うようにするのが好ましい。
　【００６５】
　次に、図１５のフローチャートを参照して、この画像印刷装置１の接客処理について説明する。
　【００６６】
　なお、このフローチャートに示される処理は、基本的にＣＰＵ８１が必要に応じて各部を制御することにより、実行される。
　【００６７】
　なお、ステップＳ１１乃至ステップＳ２０の処理は、撮影空間３におけるユーザに対して行われる処理であり、ステップＳ２１乃至ステップＳ３１の処理は、編集空間５におけるユーザに対して行われる処理である。通常、撮影空間３における撮影処理が終了してから、編集空間５において編集処理が行われる。このため、ステップＳ２１乃至ステップＳ３１の処理は、編集空間５において、第１の利用者が編集作業を行っているときの処理に対応し、ステップＳ１１乃至ステップＳ２０の処理は、撮影空間３において、次の第２の利用者が操作を行っているときの処理に対応する。
　【００６８】
　ステップＳ１１において、第２の利用者が硬貨投入口１２から硬貨を投入すると、ＣＰＵ８１によりそれが検知され、ステップＳ１２において、ＣＰＵ８１は、撮影モード選択処理を実行させる。すなわち、このとき、撮影用モニタ１４に撮影モード選択画面が表示され、ユーザは、「お気楽モード」と「カメラフリーモード」の２つの撮影モードのうち一方を選択する。
　【００６９】
　そして、この選択に応じて、ステップＳ１３において撮影処理が実行される。
　【００７０】
　図１６は、ステップＳ１３における撮影処理の詳細を表している。
　【００７１】
　ステップＳ１２の撮影モード選択処理において、「お気楽モード」が選択された場合、ステップＳ５１において、ＣＰＵ８１は、ユーザからの選択に対応して、被写体を撮影するときのＣＣＤカメラ３２のズーム状態を、アップまたは全身のいずれかに設定する。
　【００７２】
　ステップＳ５２において、ＣＰＵ８１は、被写体を撮影するときの撮影装置３１の位置を、正面または見下ろしのいずれかの位置に、ユーザからの選択に対応して設定する。
　【００７３】
　次に、ステップＳ５３において、ＣＰＵ８１は、モニタ１４に待ち画面を表示させる（例えば、「しばらくお待ち下さい」のようなメッセージを表示させる）。そして、ステップＳ５４において、ＣＰＵ８１は、撮影準備処理を実行する。このとき、ＣＰＵ８１は、ストロボ６１，６５，６６を発光させるのに必要な充電処理、その他の処理を実行する。
　【００７４】
　撮影準備が完了すると、ステップＳ５５において、ＣＰＵ８１は、カウントダウン処理を実行する。すなわち、このとき、撮影案内用スピーカ１３から「５，４，３，２，１」のようにカウントダウンの音声が出力されるとともに、モニタ１４に対応する数字が順次表示される。そして、ＣＰＵ８１は、被写体を撮影させる。
　【００７５】
　次に、ステップＳ５６において、ＣＰＵ８１は、ユーザからの指令に基づいて、撮影した画像の確認処理を実行させ、ステップＳ５７において、ユーザからの指令に基づいて、印刷する画像の明るさ調整を実行する。以上の処理を、必要な回数だけ繰り返し、ユーザは、最終的に、４枚の印刷する画像を指定することができる。
　【００７６】
　一方、ステップＳ１２の撮影モード選択処理により、カメラフリーモードが選択された場合、ステップＳ６１乃至ステップＳ６５において、上述したステップＳ５３乃至ステップＳ５７における場合と同様に、待ち画面処理、撮影準備処理、カウントダウン処理、画像確認処理、および明るさ調整処理が順次行われる。この処理は、印刷する４枚の画像を指定するまで繰り返される。
　【００７７】
　ステップＳ５７の処理またはステップＳ６５の処理の後、ステップＳ６６に進み、ＣＰＵ８１は、分割選択処理を実行する。すなわち、このとき、ユーザからの指令に応じて、各画像を各シールに印刷する場合の画像の分割数を選択設定する。
　【００７８】
　以上のようにして、撮影処理が行われた後、ステップＳ１４に進み、ＣＰＵ８１は、前の利用者（第１の利用者）の印刷が終了したか否かを判定する。すなわち、編集空間５における第１の利用者の印刷処理が終了したか否かを判定する。前の利用者の印刷処理が終了していない場合、ステップＳ１５に進み、ＣＰＵ８１は、撮影取り直しとゲームのいずれかを選択させるための選択画面を、モニタ１４に表示させる。
　【００７９】
　図１７は、この場合における表示例を表している。ユーザ（第２の利用者）は、第１の利用者の印刷処理が終了するまでの間、自分自身の撮影をもう一度やり直す場合には、「取り直し」のアイコンを選択し、ゲーム（この例の場合、モグラたたき）を選択する場合、「モグラたたき」のアイコンを選択する。この選択は、タッチペン２０を操作することで行われる。
　【００８０】
　ステップＳ１６において、ＣＰＵ８１は、ユーザからの指令に基づいて、撮影取り直しとゲームのいずれが選択されたかを判定し、取り直しが選択されたと判定された場合、ステップＳ１７に進み、撮影取り直し処理を実行する。このとき、ＣＰＵ８１は、モニタ１４に、例えば、図８に示されるような撮影取り直し処理のための操作画面を表示させる。ユーザは、この操作画面に従って、取り直す画像を選択し、選択した画像に対して取り直し処理を行う。ＣＰＵ８１は、取り直された画像を、元の画像に上書きする。
　【００８１】
　次に、ステップＳ１８に進み、ＣＰＵ８１は、前の利用者（第１の利用者）の印刷処理が終了したか否かを判定し、まだ終了していない場合には、ステップＳ１７に戻り、再び撮影取り直し処理を実行する。
　【００８２】
　ステップＳ１８において、前の利用者の印刷処理が終了したと判定された場合、処理はステップＳ２１に進む。
　【００８３】
　一方、ステップＳ１６において、ユーザがゲーム（モグラたたき）を選択したと判定された場合、ステップＳ１９に進み、ＣＰＵ８１は、ゲーム処理を実行する。このとき、例えば、ＣＰＵ８１は、図１９に示されるようなゲームのための画像をモニタ１４に出力し、表示させる。図１９の例においては、モグラたたきのゲームの画像がスコアとともに表示されている。ユーザは、タッチペン２０で表示されたモグラ（穴）に触れることで、いわゆるモグラたたきのゲームを行うことができる。
　【００８４】
　その後、ステップＳ２０に進み、ＣＰＵ８１は、前の利用者の印刷処理が終了したか否かを判定し、まだ終了していなければ、ステップＳ１９に戻り、ゲーム処理を繰り返し実行する。
　【００８５】
　ステップＳ２０において、前の利用者の印刷処理が終了したと判定された場合、処理は、ステップＳ２１に進む。
　【００８６】
　以上のようにして、ステップＳ２１の処理が実行されるとき、ユーザは、前の利用者の印刷処理が終了したので、撮影空間３から編集空間５に移動する。そして、ステップＳ２１以降の処理は、編集空間５におけるユーザに対して実行される。
　【００８７】
　ステップＳ２１において、ＣＰＵ８１は、落書き処理を実行する。この落書き処理の詳細は、図２０に示されている。
　【００８８】
　すなわち、ステップＳ８１において、ＣＰＵ８１は、モニタ１４に落書きのデモ画面を表示させる。ユーザは、このデモ画面を見て、落書きの概略を知り、実際に落書き処理をする。ＣＰＵ８１は、ステップＳ８２において、ユーザからの入力に基づいて、落書き処理を実行する。
　【００８９】
　ステップＳ８３において、ＣＰＵ８１は、落書きのエンディング処理を実行する。
　【００９０】
　以上のようにして落書き処理が完了した後、ステップＳ２２に進み、ＣＰＵ８１は、被写体の画像に対して、落書き処理により付加された落書きデータを重畳することで印刷データを作成する。
　【００９１】
　次に、ステップＳ２３において、ＣＰＵ８１は、画像を印刷するプリンタ８９が正常であるか否かを判定する。プリンタ８９が正常でない場合には、ステップＳ２４に進み、ＣＰＵ８１は、画像を印刷するシールが切れている（なくなっている）か否かを判定する。シールが切れている場合には、ステップＳ２５に進み、ＣＰＵ８１は、シール切れの表示を編集入力用モニタ１８に表示させる。図２１は、この場合における表示の例を表している。この例においては、「お店の人を呼んで下さい。」のメッセージが表示されている。ユーザは、このメッセージに対応して店員を呼び、シールの補充を依頼する。店員は、「シール紙とインクシートを交換後、新しい制御タグをセットし、サービススイッチを押して下さい。」のメッセージに従って、シール紙とインクシートを交換する処理を行い、ＣＰＵ８１は、その交換に対応する処理を実行する。
　【００９２】
　ステップＳ２４において、異常の原因がシール切れではないと判定された場合、ステップＳ２７に進み、ＣＰＵ８１は、その他のエラーに対応するエラーメッセージを表示する。ユーザは、このメッセージに対応して、やはり、店員を呼ぶ等して対応する。ＣＰＵ８１は、ステップＳ２８において、店員からの入力に基づいて、エラーに対応する処理を実行する。
　【００９３】
　以上のようにして、ステップＳ２６もしくはステップＳ２８の処理が完了した後、またはステップＳ２３において、プリンタ８９は、正常であると判定された場合、ステップＳ２９に進み、ＣＰＵ８１は、プリンタ８９を制御し、ステップＳ２２で作成した印刷データに基づいて、プリンタ８９に印刷処理を実行させる。これにより、シールに被写体の画像とこれに加えた落書きが重畳された画像が印刷されることになる。
　【００９４】
　ステップＳ３０において、ＣＰＵ８１は、プリンタ８９により印刷されたシールを出力させる。このシールは、シール取り出し口２１から排出される。
　【００９５】
　ステップＳ３１において、ＣＰＵ８１は、印刷完了処理を実行し、その後、ステップＳ１１に戻り、それ以降の処理を繰り返し実行する。
　【００９６】
　ステップＳ１１乃至ステップＳ２０の処理と、ステップＳ２１乃至ステップＳ３１の処理は、それぞれ独立に平行して行われる。その結果、撮影空間３におけるユーザの撮影処理と、編集空間５におけるユーザの編集処理が独立に行われ、効率的にユーザを回転させることが可能となる。
　【００９７】
　【発明の効果】
　本発明によれば、消耗品の補充時期を容易に知ることができる。また、消耗品の補充を行っているときに撮影を極力中断させないようにすることができる。
【図面の簡単な説明】
　【図１】
　本発明の一実施形態を示す一部断面側面図。
　【図２】
　図１の一部断面上面図。
　【図３】
　天井部材とこれを支える保持フレーム等の分解斜視図。
　【図４】
　上側反射板と上側ストロボとの関係を示す断面側面図。
　【図５】
　上側ストロボの上側反射板に対する照射領域を示す図。
　【図６】
　側方ストロボによる天井部材への照射状態を示す要部拡大断面図。
　【図７】
　側方ストロボの取付例を示す斜視図。
　【図８】
　画像印刷装置の正面図。
　【図９】
　画像印刷装置の右側面図
　【図１０】
　画像印刷装置の上面図。
　【図１１】
　画像印刷装置の背面図。
　【図１２】
　プリンタ保守のために蓋部材を開いた状態を示す要部斜視図。
　【図１３】
　画像印刷装置の制御系統図。
　【図１４】
　他の実施形態を示す簡略平面図。
　【図１５】
　画像印刷装置の処理を説明するフローチャート。
　【図１６】
　図１５のステップＳ１３の撮影処理の詳細を説明するフローチャート。
　【図１７】
　図１５のステップＳ１５における選択画面表示の例を示す図。
　【図１８】
　図１５のステップＳ１７における撮影取り直し処理の表示例を示す図。
　【図１９】
　図１５のステップＳ１９におけるゲームの表示例を示す図。
　【図２０】
　図１５のステップＳ２１の落書き処理の詳細を説明するフローチャート。
　【図２１】
　図１５のステップＳ２５におけるシール切れの表示例を示す図。
　【符号の説明】
　１　画像印刷装置
　２　撮影台
　３　撮影空間
　５　編集空間
　６　背面パネル
　１１　筐体
　１４　撮影用モニタ（内部表示手段）
　１８　編集入力用モニタ（外部表示手段）
　２１　シール取り出し口
　３１　撮影装置
　３２　ＣＣＤカメラ
　４１　天井部材
　４１ａ　天井部材の内面（反射面）
　４２　右側方部材
　４３　左側方部材
　４６　シールの排出ダクト
　４７　開口部（消耗品補充用）
　４８　蓋部材
　５１　保持フレーム
　５２Ｌ，５２Ｒ　側方フレーム部
　５５　中央連結フレーム部
　６０　上側反射板
　６１　上側ストロボ
　６４　下側反射板
　６５　下側ストロボ
　６６　側方ストロボ
　８９　プリンタ
　α、β、Ｙ　反射光